(57)【特許請求の範囲】
【請求項１】
コンタクトガラス上に載置された固定原稿に対しては走査読取可能で、原稿搬送経路を搬送される移動原稿に対しては所定の停止読取位置で読取可能な表面画像読取手段と、この表面画像読取手段による読取可能な範囲内に配設されて画像の読取基準レベルを規定する基準白板と、前記原稿搬送経路を搬送される移動原稿に対してその裏面画像を読み取る位置固定的な裏面画像読取手段と、これらの画像読取手段からの出力信号のレベルを調整する調整手段とを備えた画像読取装置において、
前記表面画像読取手段により前記基準白板を読み取って読取基準レベルを得た後、この表面画像読取手段を所定の停止読取位置に位置させて前記原稿搬送経路中を両面白色の基準原稿を搬送させ、この基準原稿を表面画像読取手段と裏面画像読取手段とで各々読み取って読取基準レベルに対するその読取レベルに応じて前記調整手段により対基準原稿の白レベルを調整するようにし、
更に、基準白板の読取基準レベルを共用し、表面画像読取手段側と裏面画像読取手段側とで読取レベルが濃度差との差分に相当する量だけ異なるように調整することを特徴とする画像読取装置における読取レベル調整方法。
【発明の詳細な説明】
【０００１】
【発明の属する技術分野】
本発明は、イメージスキャナ、デジタル複写機やファクシミリ装置におけるスキャナ部等であって、両面読取り可能で所謂原稿固定モードと原稿搬送モードとが選択自在な画像読取装置に関する。
【０００２】
【従来の技術】
従来、この種の画像読取装置として、例えば特開平９−８３７５１号公報に示されるものがある。その内容を図４ないし図６を参照して説明する。ここで例示する画像読取システム１００は、図４に示すように、イメージスキャナ１０１をホストコンピュータ１０２に接続した構成とされている。
【０００３】
ここで例示するイメージスキャナ１０１は、図５に示すように、読取原稿が載置されるコンタクトガラス１を有しており、このコンタクトガラス１に下方から対向する位置には、反射ミラー２と照明ランプ３とが搭載された第１走行体４が副走査方向に移動自在に配置されている。第１走行体４の反射光路には、２個の反射ミラー２により光路を折り返す第２走行体５が、副走査方向に移動自在に配置されており、この第２走行体５の反射光路には、結像レンズ６を介してＳＢＵ（Ｓensor Ｂoard Ｕnit）７にライン状に実装されたＣＣＤ（Ｃharge Ｃoupled
Ｄevice）８が位置している。
【０００４】
第１走行体４と第２走行体５とには、ステッピングモータによる走行体モータ９がプーリやワイヤなどにより連結されており、２対１の速度で同一の副走査方向に移動自在とされている。このように２個の走行体４，５が移動することにより、コンタクトガラス１に載置された読取原稿の読取画像がＣＣＤ８により副走査方向に読取走査されるので、ここに画像読取手段１０が構成されている。
【０００５】
詳細には後述するように、このような画像読取手段１０による読取原稿の読取走査は、原稿固定モードであるブックモードの設定下で実行されるが、ここで例示するイメージスキャナ１０１には、上述したブックモードの他に原稿搬送モードであるＡＤＦモードも切替自在な動作モードとして設定されている。このＡＤＦモードの設定下では、図中右端に破線で図示するように、２個の走行体４，５をホームポジションなる停止読取位置に配置した状態で、ＡＤＦ（Ａutomatic Ｄocument Ｆeeder） １１により読取原稿を副走査方向に搬送順次して画像データを読取走査する。
【０００６】
このＡＤＦ１１は、給紙トレイ１２、ピックアップローラ１３、一対のレジストローラ１４、搬送ドラム１５、複数の搬送ローラ１６を有しており、読取原稿を副走査方向に順次搬送して排紙トレイ１７に排紙させる。この排紙トレイ１７は原稿圧板１８の上面に形成されており、この原稿圧板１８はコンタクトガラス１上に開閉自在に設けられている。ＡＤＦ１１のピックアップローラ１３とレジストローラ１４とにはステッピングモータからなる給紙モータ１９がギヤ列などにより連結されており、搬送ドラム１５と搬送ローラ１６とにはステッピングモータからなる搬送モータ２０がギヤ列などにより連結されている。
【０００７】
また、イメージスキャナ１０１の内部下方には、後述する電装系を構成するユニット基板が内蔵されている。そこで、このようなイメージスキャナ１０１の電装系のブロック構造を、その作用と共に図４及び図５に基づいて以下に説明する。
【０００８】
まず、ＳＢＵ７上のＣＣＤ８に入射した読取原稿の反射光は、このＣＣＤ８内で光の強度に応じた電圧値を持つアナログの画像データに変換され、奇数ビットと偶数ビットとに２分されてＭＢＵ（Ｍother Ｂoard Ｕnit）２１に順次出力される。このＭＢＵ２１においては、ＡＨＰ（Ａnalog data Ｈandling Ｐeripheral）２２で暗電位部分が取り除かれ、奇数ビットと偶数ビットとが合成され、所定の振幅にゲイン調整された後で、Ａ／Ｄ（Ａnalog／Ｄigital） コンバータ２３に入力されてデジタル化される。
【０００９】
ＭＢＵ２１でデジタル化された画像データは、ＳＣＵ（Ｓcanner Ｃontrol Ｕnit）２４上のデータ２値化手段であるＳＩＰ３（Ｓcanner Ｉmaging Ｐeripheral ３） ２５により、シェーディング補正、ガンマ補正、ＭＴＦ補正、等が行われてから２値化処理される。この２値化処理された画像データは、ページ同期信号、ライン同期信号、画像クロックと共に、ビデオデータとして出力される。なお、このＳＩＰ３  ２５は、動作モードによっては画像データを２値化処理することなく、ビデオデータとしてページ同期信号やライン同期信号や画像クロックと共に出力する。
【００１０】
そして、このＳＩＰ３  ２５から出力されるビデオデータは、コネクタ２６を介してＩＥＵ（Ｉmage Ｅnhance Ｕnit） ２７へ入力される。詳細には後述するように、このＩＥＵ２７は、ビデオデータを所定の画像処理で文字データと絵柄データとに判定し、この判定結果と共にビデオデータをＳＣＵ２４へ出力する。再びＳＣＵ２４へ出力されたビデオデータはセレクタ２８に入力される。このセレクタ２８は他方の入力にＳＩＰ３  ２５からのビデオデータが与えられており、ＩＥＵ２７による画像処理を経るか否かを選択し得るように構成されている。
【００１１】
このセレクタ２８の出力は、ＲＣＵ（Ｒiverse side Ｃontrol Ｕnit）２９からの入力を一方の入力とするセレクタ３０に入力されており、読取原稿の読取面を選択できるように構成されている。このＲＣＵ２９は読取原稿の両面を読取走査する際に読取原稿の裏面の読取走査を制御するためのオプション用のユニットであり、ＳＣＵ２４内の中央処理装置であるＣＰＵ（Ｃentral Ｐrocessing Ｕnit） ３１によりシリアル通信で制御され、読取走査された裏面の画像データをビデオデータとしてＭＢＵ２１経由でＳＣＵ２４に転送する。
【００１２】
セレクタ３０のビデオデータ出力側は、セレクタ３２とコネクタ３３に接続されており、セレクタ３２の他方の入力は、ビデオアダプタ３４からのビデオデータとされている。これにより、コネクタ３３の先にビデオアダプタ３４の接続が可能となる。一方、セレクタ３２のビデオデータ出力はＳＢＣ（Ｓean Ｂaffer Ｃontroller） ３５に入力されている。そこで、ＳＩＰ３  ２５から出力されてＳＢＣ３５に入力されたビデオデータは、ＤＲＡＭ（Ｄynamic Ｒandom ＡccessＭemory）３６とオプションの増設ＲＡＭ（Ｒandom Ａccess Ｍemory） であるＳＩＭＭ（Ｓingle Ｉnline Ｍemory Ｍodule） ３７とに蓄積される。
【００１３】
また、コネクタ３８には入力された画像データを圧縮するためのＤＣＵ（Ｄata Ｃompression Ｕnit）３９が接続されている。このＤＣＵ３９により圧縮された画像データは、ＳＣＵ２４のセレクタ４０の一方の入力となり、画像データを圧縮するか否かを選択できる構成とされている。このセレクタ４０の画像データ出力は、データ通信処理部として機能するＳＣＳＩ（Ｓmall Ｃomputer Ｓystems Ｉnterface）コントローラ４１を介してホストコンピュータ１０２（図示せず）に転送される。
【００１４】
ＳＣＵ２４上には、ＣＰＵ３１，ＥＰＲＯＭ（Ｅrasable Ｐrogrammable ＲＯＭ）４２，ＲＡＭ４３が実装され、ＳＣＳＩコントローラ４１を制御してホストコンピュータ１０２との通信を行うように動作する。ＣＰＵ３１は、走行体モータ９と給紙モータ１９及び搬送モータ２０との駆動パルスを制御することにより、その動作タイミングも制御する。また、ＭＢＵ２１に接続されたＡＤＵ（ＡＤＦ Ｄriving Ｕnit） ４４は、ＡＤＦ１１に用いる電装部品の電力供給を中継する機能を持つ。
【００１５】
なお、イメージスキャナ１０１の装置外面には、キーボードとディスプレイとを備えた操作パネル４５が設けられており、この操作パネル４５もＣＰＵ３１に接続されている。また、ＡＤＦ１１には、図７に示すように、各種のセンサ４６〜５０が搬送ドラム１５周りに形成された原稿搬送経路５１に対して各々に最適な位置に設けられており、これらのセンサ４６〜５０もＣＰＵ３１に接続されている。給紙トレイ１２上には原稿有無センサ４６が設けられており、これは読取原稿の有無を判定する。同様に、搬送センサ４７は、読取原稿の搬送開始を検出し、重送検知センサ４８は、搬送が開始された読取原稿の重送を検知する。読取位置センサ４９は、搬送される読取原稿が読取位置に到達したことを検知し、排紙センサ５０は、読取走査された読取原稿が排紙されたことを検知する。
【００１６】
また、図７に示すように搬送ドラム１５よりも原稿搬送方向下流側であって原稿搬送経路５１の内周側に位置させて密着型センサ５２が設けられている。この密着型センサ５２は原稿裏面側を露光するＬＥＤ光源部を含むもので、原稿搬送経路５１を搬送される原稿裏面の画像を読み取る位置固定されたものである。ここに、密着型センサ５２が裏面原稿読取手段として機能し、原稿読取手段１０が表面原稿読取手段として機能する。密着型センサ５２には白色の対色ローラ５３が対向配置されている。５４はフィードローラである。また、ＣＣＤ８等の感度ばらつき等を補正するためのシェディング補正データを得るための基準白板５５が原稿読取手段１０による読取可能な範囲内、具体的には、搬送ドラム１５の直前の位置に配設されている。密着型センサ５２に対しては対色ローラ５３が白基準部材として機能する。
【００１７】
このような構成において、この種のイメージスキャナ１０１では、光学系の対基準原稿の白レベル調整を行う必要があり、この調整の際には、コンタクトガラス１上に設計基準の白紙（基準原稿）を載置し、基準白板５５とこの白紙との原稿読取手段１０による読取りデータから、この画像読取手段１０の光学的、電気的な読取りデータの補正を行うようにしている。また、図示例のように、両面読取機能を有する場合、画像読取手段１０側に関しては上記の如く補正を行い得るが、密着型センサ５２側に関しては原稿搬送経路５１の内周側にあるため上記の如き補正方法を用い得ず、ＡＤＦ１１により白紙（基準原稿）を搬送して密着型センサ５２で読み取らせることにより行うようにしている。
【００１８】
図８はその処理手順を示すフローチャートである。即ち、白濃度調整は、第１面（表面）側と第２面（裏面）側とで別々に行うようにしている。第１面の調整に際しては、コンタクトガラス１上に基準原稿（図示せず）を載置させた後、図８（ａ）に示すように、走行体４，５を基準白板５５の位置へ移動させてこの基準白板５５上の読取基準レベルを規定する白データ（Ｄ１）を読み取る。次いで、コンタクトガラス１上の基準原稿に対向する位置に走行体４，５を移動させて、基準原稿上の白データ（Ｄ２）を読み取る。ここで、ＳＢＵ７上にある図示しない回路によってＡ／Ｄコンバータ２３によるリファレンス電圧を変化させることにより、Ｄ２＝Ｄ１となるまで、調整データ（ＣＰＵ３１からのＤ／Ａコンバータのデジタル値）の設定をフィードバックしながら行う。基準原稿の読取りによる白データ（Ｄ２）が読取基準レベル（Ｄ１）と同一になった時点で調整は終了し、その調整設定値をＲＡＭ４３に格納する。
【００１９】
第２面の調整に際しては、図８（ｂ）に示すように、ＡＤＦ１１による基準原稿の搬送を開始させ（対色ローラ５３も回転する）た後、まず、密着型センサ５２により対色ローラ５３上の読取基準レベルを規定する白データ（Ｄ３）を読み取る。次いで、基準原稿が密着型センサ５２の読取位置に来るのを待ち、基準原稿が来たら基準原稿上の白データ（Ｄ４）を読み取る。ここで、ＳＢＵ５６上にある図示しない回路によってＡ／Ｄコンバータ２３によるリファレンス電圧を変化させることにより、Ｄ４＝Ｄ３となるまで、調整データ（ＣＰＵ３１からのＤ／Ａコンバータのデジタル値）の設定をフィードバックしながら行う。基準原稿の読取りによる白データ（Ｄ４）が読取基準レベル（Ｄ３）と同一になった時点で調整は終了し、その調整設定値をＲＡＭ４３に格納する。
【００２０】
【発明が解決しようとする課題】
ところが、上述したような従来方式によると、両面読取機能を考慮した場合の対基準原稿の白レベル調整が第１面、第２面で全く別であり、面倒である。即ち、第１面の白レベル調整はブックモードで行っているのに対して、第２面の白レベル調整はＡＤＦモードで行っているものである。
【００２１】
そこで、本発明は、両面の白レベル調整を基準原稿の１回の通紙だけで行うことができ、調整作業を簡易化し得る画像読取装置における読取レベル調整方法を提供することを目的とする。
【００２２】
また、本発明は、表裏に差のない画像を提供し得るように白レベル調整を行える画像読取装置における読取レベル調整方法を提供することを目的とする。
【００２３】
さらに、本発明は、元々表裏の白レベルに差のある原稿に対して、表裏の差をなくした画像を提供し得るように白レベル調整を行える画像読取装置における読取レベル調整方法を提供することを目的とする。
【００２４】
【課題を解決するための手段】
請求項１記載の発明は、コンタクトガラス上に載置された固定原稿に対しては走査読取可能で、原稿搬送経路を搬送される移動原稿に対しては所定の停止読取位置で読取可能な表面画像読取手段と、この表面画像読取手段による読取可能な範囲内に配設されて画像の読取基準レベルを規定する基準白板と、前記原稿搬送経路を搬送される移動原稿に対してその裏面画像を読み取る位置固定的な裏面画像読取手段と、これらの画像読取手段からの出力信号のレベルを調整する調整手段とを備えた画像読取装置において、前記表面画像読取手段により前記基準白板を読み取って読取基準レベルを得た後、この表面画像読取手段を所定の停止読取位置に位置させて前記原稿搬送経路中を両面白色の基準原稿を搬送させ、この基準原稿を表面画像読取手段と裏面画像読取手段とで各々読み取って読取基準レベルに対するその読取レベルに応じて前記調整手段により対基準原稿の白レベルを調整するようにし、更に、基準白板の読取基準レベルを共用し、表面画像読取手段側と裏面画像読取手段側とで読取レベルが濃度差との差分に相当する量だけ異なるように調整するようにした。
【００２５】
従って、表面側、裏面側の対基準原稿の白レベル調整に際して、所謂原稿搬送モードを利用することにより、基準原稿の１回だけの通紙でその調整を行うことができ、調整作業が簡易化される。更に、表裏の白レベルに差のある原稿に対して、対基準原稿の白レベル調整値に所定の濃度差を持たせることにより、結果として、表裏の差をなくした読取画像を得ることができる。
【００２９】
【発明の実施の形態】
本発明の第一の実施の形態を図１及び図４ないし図７に基づいて説明する。即ち、本実施の形態の画像読取システム１００に関しては図４ないし図７に示したような構成のものをそのまま用いるものとする。なお、ＳＢＵ５６上の密着型センサ５２の制御は、図４に示すように本体側のＣＰＵ３１により行うようにしても、或いは、図６に示すようにＲＣＵ５２中のＣＰＵ５７により行うようにしてもよい。
【００３０】
本実施の形態の白濃度調整方法について、図１に示すフローチャートを参照して説明する。本実施の形態では、両面白色の基準原稿をＡＤＦ１１により搬送するＡＤＦモードにより、１回の通紙で、第１面と第２面との濃度調整を同時的に行うことを特徴としている。まず、走行体４，５を基準白板５５の位置へ移動させてこの基準白板５５上の読取基準レベルを規定する白データ（Ｄ１１）を読み取る。次いで、走行体４，５をＡＤＦモードの停止読取位置（図７に示す画像読取手段１０はその読取位置で代表している）へ移動・停止させ、ＡＤＦ１１による基準原稿の搬送を開始させる（対色ローラ５３も回転する）。次いで、基準原稿が画像読取手段１０の停止読取位置に来るのを待ち、基準原稿が来たら基準原稿上の白データ（Ｄ２２）を読み取る。ここで、ＳＢＵ７上にある図示しない回路によってＡ／Ｄコンバータ２３によるリファレンス電圧を変化させることにより、Ｄ２２＝Ｄ１１となるまで、調整データ（ＣＰＵ３１からのＤ／Ａコンバータのデジタル値）の設定をフィードバックしながら行う。基準原稿の読取りによる白データ（Ｄ２２）が読取基準レベル（Ｄ１１）と同一になった時点で調整は終了し、その調整設定値をＲＡＭ４３に格納する。
【００３１】
一方、これに前後して、密着型センサ５２により対色ローラ５３上の読取基準レベルを規定する白データ（Ｄ３３）を読み取る。その後、基準原稿が密着型センサ５２の読取位置に来るのを待ち、基準原稿が来たら基準原稿上の白データ（Ｄ４４）を読み取る。ここで、ＳＢＵ５６上にある図示しない回路によってＡ／Ｄコンバータ２３によるリファレンス電圧を変化させることにより、Ｄ４４＝Ｄ３３となるまで、調整データ（ＣＰＵ３１からのＤ／Ａコンバータのデジタル値）の設定をフィードバックしながら行う。基準原稿の読取りによる白データ（Ｄ４４）が読取基準レベル（Ｄ３３）と同一になった時点で調整は終了し、その調整設定値をＲＡＭ４３に格納する。
【００３２】
従って、本実施の形態によれば、第１面側、第２面側の対基準原稿の白レベル調整に際して、第１面側、第２面側で読取レベルの調整が独立して行われるが、所謂原稿搬送モードを利用することにより、基準原稿の１回だけの通紙でその調整を行うことができ、調整作業が簡易化される。
【００３３】
本発明の第二の実施の形態を図２に基づいて説明する。基本的には、前記実施の形態に準ずるが、本実施の形態では、密着型センサ５２により対色ローラ５３上の白データ（Ｄ３３）を読み取る処理を行わず、第２面側でも基準白板５５から得られた白データ（Ｄ１１）を基準として用い、Ｄ４４＝Ｄ１１となるまで、調整データの設定をフィードバックしながら行うようにしたものである。基準原稿の読取りによる白データ（Ｄ４４）が読取基準レベル（Ｄ１１）と同一になった時点で調整は終了し、その調整設定値をＲＡＭ４３に格納する。
【００３４】
本実施の形態によれば、異なる画像読取手段１０と密着型センサ５２との対基準原稿の白レベル調整値を合わせることにより、表裏に差のない読取画像を得ることができる。
【００３５】
本発明の第三の実施の形態を図３に基づいて説明する。基本的には、前記第二の実施の形態に準じ、密着型センサ５２により対色ローラ５３上の白データ（Ｄ３３）を読み取る処理を行わず、第２面側でも基準白板５５から得られた白データ（Ｄ１１）を用いるが、密着型センサ５２側の読取りには濃度差を持たせて、Ｄ４４＝（Ｄ１１−濃度差）となるまで、調整データの設定をフィードバックしながら行うようにしたものである。基準原稿の読取りによる白データ（Ｄ４４）が（Ｄ１１−濃度差）と同一になった時点で調整は終了し、その調整設定値をＲＡＭ４３に格納する。
【００３６】
本実施の形態によれば、元々、表裏の白レベルに差のある原稿に対して、対基準原稿の白レベル調整値に所定の濃度差を持たせることにより、結果として、表裏の差をなくした読取画像を得ることができる。
【００３７】
【発明の効果】
請求項１記載の発明によれば、表面側、裏面側の対基準原稿の白レベル調整に際して、所謂原稿搬送モードを利用することにより、基準原稿の１回だけの通紙でその調整を行うことができ、調整作業を簡易化させることができる。更に、表裏の白レベルに差のある原稿に対して、対基準原稿の白レベル調整値に所定の濃度差を持たせることにより、結果として、表裏の差をなくした読取画像を得ることができる。
【図面の簡単な説明】
【図１】本発明の第一の実施の形態の調整手順を示すフローチャートである。
【図２】本発明の第二の実施の形態の調整手順を示すフローチャートである。
【図３】本発明の第三の実施の形態の調整手順を示すフローチャートである。
【図４】画像読取システムを示す概略ブロック図である。
【図５】画像読取装置の構成例を示す概略正面図である。
【図６】その電装系の構成例を示すブロック図である。
【図７】ＡＤＦ構造の概要を示す概略正面図である。
【図８】従来例の調整手順を示すフローチャートである。
【符号の説明】
１      コンタクトガラス
１０      表面画像読取手段
５１      原稿搬送経路
５２      裏面画像読取手段
５３      白基準部材
５５      基準白板
【図１】
0003732633.tif 000002
【図２】
0003732633.tif 000003
【図３】
0003732633.tif 000004
【図４】
0003732633.tif 000005
【図５】
0003732633.tif 000006
【図６】
0003732633.tif 000007
【図７】
0003732633.tif 000008
【図８】
0003732633.tif 000009